(57)【要約】    【課題】  メンテナンス作業が容易になり、また、環境等に応じた光源を容易にセットすることができる表示灯を提供する。    【解決手段】  導光表示板３及び導光表示板３を発光させる光源１１及びその付属品と、光源１１及びその付属品を収容するケース２とを備えた表示灯において、光源１１とその付属品とを一体化して光源ユニット１を形成し、光源ユニット１を出し入れするための開口部２１をケース２の端部に設け、光源ユニット１を出し入れするためのガイド部２３をケース２内に形成し、開口部２１にエンドキャップ２５を着脱自在に取り付けた。【選択図】    図２
2007219431.tif 000002
【特許請求の範囲】
【請求項１】
導光表示板及び該導光表示板を発光させる光源及びその付属品と、前記光源及びその付属品を収容するケースとを備えた表示灯において、
前記光源とその付属品とを一体化して光源ユニットを形成し、前記光源ユニットを出し入れするための開口部を前記ケースの端部に設け、前記光源ユニットを出し入れするためのガイド部を前記ケース内に形成し、前記開口部にエンドキャップを着脱自在に取り付けたことを特徴とする表示灯。
【請求項２】
前記導光表示板の入光面側を前記ケース内に配設し、前記導光表示板を前記開口部から出し入れするための第２ガイド部を設けたことを特徴とする請求項１に記載の表示灯。
【請求項３】
前記光源の種類が異なる複数種類の前記光源ユニットを備え、各光源ユニットは、前記ケースに収容可能な大きさに設定され、前記ケースのガイド部は、複数種の前記光源ユニットの案内が可能となるように構成されたことを特徴とする請求項１又は２に記載の表示灯。
【請求項４】
前記ガイド部は、上下に複数段のガイドレールを設けることにより形成されたことを特徴とする請求項３に記載の表示灯。
【発明の詳細な説明】
【技術分野】
【０００１】
本発明は、駅構内や店舗などの場所において各種の表示を照明する導光板を用いた表示灯に関するものである。
【背景技術】
【０００２】
この種の表示灯は、ケース内に光源及びその付属品を収容し、光源から照射される光線で導光表示板を発光させるようになっている。
【０００３】
しかしながら、光源の交換や導光表示板の清掃等のメンテナンス作業は、高所での作業になるので、該作業は困難を伴うという問題があった。
【０００４】
ところで、表示灯は、設置場所の環境や必要とされる明るさや目的等に応じて熱陰極や冷陰極等の蛍光ランプ、ＬＥＤを光源として適宜採用することができるが、設置場所の環境等に応じて表示灯をそれぞれ製造するのは、製造コスト等の面で不利になるという問題もあった。
【発明の開示】
【発明が解決しようとする課題】
【０００５】
そこで、本発明は、メンテナンス作業が容易になり、また、環境等に応じた光源を容易にセットすることができる表示灯を提供することを課題とする。
【課題を解決するための手段】
【０００６】
本発明者は、前記課題を解決するために鋭意研究を重ねて完成されたものである。
【０００７】
１．導光表示板及び該導光表示板を発光させる光源及びその付属品と、前記光源及びその付属品を収容するケースとを備えた表示灯において、前記光源とその付属品とを一体化して光源ユニットを形成し、前記光源ユニットを出し入れするための開口部を前記ケースの端部に設け、前記光源ユニットを出し入れするためのガイド部を前記ケース内に形成し、前記開口部にエンドキャップを着脱自在に取り付けたことを特徴とする表示灯を提供する。
【０００８】
２．前記導光表示板の入光面側を前記ケース内に配設し、前記導光表示板を前記開口部から出し入れするための第２ガイド部を設けたことを特徴とする前記１に記載の表示灯を提供する。
【０００９】
３．前記光源の種類が異なる複数種類の前記光源ユニットを備え、各光源ユニットは、前記ケースに収容可能な大きさに設定され、前記ケースのガイド部は、複数種の前記光源ユニットの案内が可能となるように構成されたことを特徴とする前記１又は２に記載の表示灯を提供する。
【００１０】
４．前記ガイド部は、上下に複数段のガイドレールを設けることにより形成されたことを特徴とする前記３に記載の表示灯を提供する。
【発明の効果】
【００１１】
本発明によれば、前記光源とその付属品とを一体化して光源ユニットを形成し、前記光源ユニットを出し入れするための開口部を前記ケースの端部に設け、前記光源ユニットを出し入れするためのガイド部を前記ケース内に形成し、前記開口部にエンドキャップを着脱自在に取り付けたので、表示灯を設置した状態で光源ユニットをケースから容易に取り外して再度セットすることができ、光源の交換や導光表示板の清掃等のメンテナンス作業が容易になる。
【００１２】
前記導光表示板の入光面側を前記ケース内に配設し、前記導光表示板を前記開口部から出し入れするための第２ガイド部を設ければ、導光表示板の清掃等のメンテナンス作業が容易になる。
【００１３】
また、前記光源の種類が異なる複数種類の前記光源ユニットを備え、各光源ユニットは、前記ケースに収容可能な大きさに設定され、前記ケースのガイド部は、複数種の前記光源ユニットの案内が可能となるように構成されれば、前記光源の種類が異なる複数種類の前記光源ユニットを備え、各光源ユニットは、前記ケースに収容可能な大きさに設定され、前記ケースのガイド部は、複数種の前記光源ユニットの案内が可能となるように構成されれば、設置場所の環境等に応じた光源を備えた光源ユニットを前記ケースに取り付けることができ、製造コストの面で有利になる。
【発明を実施するための最良の形態】
【００１４】
以下、本発明に係る表示灯の実施形態について図面を参照しつつ説明する。
【００１５】
表示灯Ａは、天井直付け型又は天井吊り下げ型であって、光源ユニット１，１Ａを収容するケース２から導光表示板３を垂設して形成されている。
【００１６】
導光表示板３は、導光板３１と、導光板３１の表面を被覆する一対の表示板３２とを備え、光源から照射される光線が導光板３１の上端面から入光することによって発光するようになっている。また、導光表示板３の上端部の左右両側には断面逆Ｕ字状の支持体３３が取り付けられている。
【００１７】
光源ユニット１は、直管型の蛍光灯（例えばＴ５管）１１を光源とするものであって、安定器や点灯始動装置やソケット１２やこれらの支持体１３等から成る付属品（シームレススリム器具）１４と一体的に形成されている。光源ユニット１Ａは、ＬＥＤ１１Ａを光源とするものであって、基板１２ＡやＤＣ電源部１３Ａや支持体１４Ａ等から成る付属品１５Ａと一体的に形成されている。ＬＥＤ１１Ａは長尺の基板１２Ａ上に該基板１２Ａの長さ方向に沿って直線状に複数個実装され、該基板１２Ａは支持体１４Ａに固定されている。
ケース２は横長に形成され、ケース２の両端には光源ユニット１，１Ａ及び導光表示板３を出し入れするための横向きに開口する開口部２１が形成され、ケース２の下面には導光表示板３を取り付けるための第２開口部２２が開口部２１と連通して形成されている。ケース２の左右の内側面には複数段のガイドレール（ガイド部の一例）２３がケース２の全長にわたって形成され、ガイドレール２３間にはガイド溝２３ａが形成され、最下段のガイドレール２３の下方には上向きの突壁２４が形成され、該突壁２４とケース２との間に第２ガイド溝（第２ガイド部の一例）２４ａがケース２の全長にわたって形成されている。また、ケース２の開口部２１にはエンドキャップ２５がビス２８によって着脱自在に取り付けられている。なお、図中の符号２６はケース２の開口部２１の周囲に形成されたビス孔であり、符号２７はエンドキャップ２５に形成されたビス２８の挿通孔であり、符号２９は天井直付け用金具（不図示）に把持させてネジ止めするためのブラケットである。
【００１８】
そして、光源ユニット１をケース２に収容する場合には、ケース２の開口部２１からケース２内に光源ユニット１を挿入し、光源ユニット１の支持体１３を最上段のガイドレール２３上に載置してガイドレール２３上をスライドさせることによってケース２内に収容する。なお、光源ユニット１の支持体をガイドレール２３間のガイド溝２３ａに嵌め込むように設定しても良い。光源ユニット１をケース２内に収容した状態では、光源ユニット１に設けられた図外の電源端子がケース２に設けられた商業用電源（ＡＣ１００Ｖ電源）の図外の接続コネクタに接続されるようになっている。
【００１９】
また、光源ユニット１Ａをケース２に収容する場合には、光源ユニット１Ａの支持体１４Ａの左右両端をガイドレール２３間のガイド溝２３ａに嵌め込んでガイドレール２３上をスライドさせることによってケース２内に収容する。
【００２０】
また、導光表示板３の上端部をケース２の開口部２１及び第２開口部２２からケース２内に挿入し、導光表示板３の支持体３３を第２ガイド溝２４ａに嵌め込んで突壁２４をスライドさせることによってケース２内に収容し、導光表示板３の上端面（入光面）を光源ユニット１，１Ａの光源と対向させる。支持体３３が第２ガイド溝２４ａに嵌め込まれることによって支持体３３が突壁２４を挟持するため、導光表示板３の横揺れが防止されるとともに、ケース２の開きが防止される。
【００２１】
光源ユニット１（又は１Ａ）及び導光表示板３をケース２に収容した後は、エンドキャップでケース２の開口部２１を塞ぐ。
【００２２】
このようにして構成される表示灯は、光源の種類が異なる複数種の光源ユニット１，１Ａ…の交換が可能になり、また、ケース２への導光表示板３の着脱が容易となる。
【図面の簡単な説明】
【００２３】
【図１】本発明の表示灯の実施形態を天井に設置した状態を示す斜視図である。
【図２】（ａ）は同実施形態の側面図、（ｂ）はエンドキャップを取り付けた状態を示す側面図である。
【図３】同実施形態の正断面図である。
【図４】（ａ）は同実施形態の側面図、（ｂ）はエンドキャップを取り付けた状態を示す側面図である。
【図５】同実施形態の正断面図である。
【符号の説明】
【００２４】
Ａ      表示灯
１，１Ａ    光源ユニット
２      ケース
３      導光表示板
【図１】
2007219431.tif 000003
【図２】
2007219431.tif 000004
【図３】
2007219431.tif 000005
【図４】
2007219431.tif 000006
【図５】
2007219431.tif 000007